(57)【特許請求の範囲】
【請求項１】
変圧器本体と、
前記変圧器本体が収容されたタンクと、
前記タンクに充填され、前記変圧器本体を冷却する絶縁油と、
前記絶縁油を冷却する冷却器と、
前記タンクと前記冷却器とを互いに接続する接続配管と、
前記接続配管に設置され、前記タンクと前記冷却器との間で前記絶縁油を循環させるポンプとを備え、
前記冷却器は、熱交換ユニットと、該熱交換ユニットと一体的に接続された吸気ユニットとを含み、
前記熱交換ユニットは、一方向に前記絶縁油を通流可能な複数の油流部と、該複数の油流部の各々の間に位置し、かつ、前記複数の油流部における前記絶縁油の通流方向と交差する方向において外気が前記吸気ユニットの内部に向かって通風可能な複数の通風部とを有し、
前記吸気ユニットは、前記吸気ユニットの内部に位置して、前記通風部を介して外気を前記吸気ユニットの内部に吸い込む吸気ファンを有し、
前記複数の油流部の各々と、前記複数の通風部のうち前記複数の油流部の各々に隣り合う通風部との間には、前記複数の通風部の各々が前記複数の通風部における外気の通風方向に沿う方向に摺動可能に構成された、摺動機構が設けられており、
前記複数の通風部の各々は、前記摺動機構に沿って摺動させることで、前記通風方向において、前記複数の通風部の各々の吸気ユニット側の端縁が、前記複数の油流部の各々の吸気ユニット側とは反対側の端縁に対して、吸気ユニット側とは反対側に離間するように移動可能に構成されており、
前記摺動機構は、前記複数の油流部の各々に接続された摺接部と、前記通風方向に沿う方向に延在しつつ前記複数の通風部の各々に接続され、前記摺接部に対して直接的または間接的に摺接可能なレール部とを有している、車載用変圧器。
【請求項２】
前記摺接部と前記レール部との間には、前記摺接部および前記レール部の各々に対して摺動可能であって、前記通風方向に沿う方向に延在する中間レール部がさらに設けられている、請求項１に記載の車載用変圧器。
【請求項３】
前記冷却器は、前記熱交換ユニットを外側から押圧する押圧ユニットをさらに含み、
前記押圧ユニットは、前記熱交換ユニットにおいて前記複数の油流部が並んでいる方向において、両側から前記熱交換ユニットを押圧するように前記熱交換ユニットと係合している、請求項１または請求項２に記載の車載用変圧器。
【請求項４】
前記冷却器は、前記熱交換ユニットの吸気ユニット側とは反対側に位置する吸気フィルタをさらに含む、請求項１から請求項３のいずれか１項に記載の車載用変圧器。
【発明の詳細な説明】
【技術分野】
【０００１】  本開示は、車載用変圧器に関する。
【背景技術】
【０００２】  冷却器の構成を開示した文献として、特開昭５４−４７１５３号公報(特許文献１)がある。特許文献１に開示された冷却器は、冷凍機および冷暖用ファンコイルユニットなどの一般空気調和機に使用される熱交換器である。当該熱交換器は、パイプとフィンとからなる。フィンは、ブロック化されてフィンブロックを形成している。当該熱交換器は、フィンブロックをパイプに押しつける部材を備えている。フィンブロックは、着脱可能に取り付けられている。
【先行技術文献】
【特許文献】
【０００３】
【特許文献１】特開昭５４−４７１５３号公報
【発明の概要】
【発明が解決しようとする課題】
【０００４】  従来の車載用変圧器においても、絶縁油を冷却するために、吸気された外気が通流可能な通風部を有する冷却器が用いられる。車載用変圧器で使用される冷却器においては、車載用変圧器を使用し続けることで通風部内にゴミが堆積する。これにより冷却性能が下がり、冷却器によって冷却される絶縁油の温度が上昇する。【０００５】  このため、車載用変圧器においては、通風部内に体積したゴミにエアーを吹き付ける等して、ゴミを清掃する必要がある。この際、通風部において外気が流入する端縁側から、通風部の内部の清掃作業を行うことが考えられる。しかしながら、上記端縁側からエアーを吹き付けた場合、エアー吹き付け方向は、冷却器使用時における通風部内の通風方向に対して順方向となる。よって、堆積したゴミを十分に清掃することができない。また、通風部において、外気が流入する端縁側とは反対側から通風部内部の清掃作業をすることが考えられる。しかしながら、上記端縁側とは反対側においては、吸気ファンが通風部の近傍に位置するため、清掃作業が容易でなく、清掃作業の効率が低くなる。【０００６】  そこで、特許文献１に記載された冷却器のように、通風部を、冷却器から完全に取り外せるように構成することが考えられる。しかしながら、車載用変圧器において用いられる冷却器は比較的大型であるため、冷却器から完全に取り外した通風部を再び冷却器に収容することは容易ではない。このような冷却器を車載用変圧器に用いると、上記の清掃作業の効率はかえって低くなる。【０００７】  本開示は上記問題点に鑑みてなされたものであり、通風部内を効率良く清掃可能な冷却器を備える車載用変圧器を提供することを目的とする。
【課題を解決するための手段】
【０００８】  本開示に基づく車載用変圧器は、変圧器本体と、タンクと、絶縁油と、冷却器と、接続配管と、ポンプとを備えている。タンクには、変圧器本体が収容されている。絶縁油は、タンクに充填され、変圧器本体を冷却する。冷却器は、絶縁油を冷却する。接続配管は、タンクと冷却器とを互いに接続している。ポンプは、接続配管に設置されている。ポンプは、タンクと冷却器との間で絶縁油を循環させる。冷却器は、熱交換ユニットと、吸気ユニットとを含んでいる。吸気ユニットは、熱交換ユニットと一体的に接続されている。熱交換ユニットは、複数の油流部と、複数の通風部とを有している。複数の油流部では、一方向において絶縁油が通流可能である。複数の通風部の各々は、複数の油流部の各々の間に位置している。複数の通風部では、複数の油流部における絶縁油の通流方向と交差する方向において外気が吸気ユニットの内部に向かって通風可能である。吸気ユニットは、吸気ファンを有している。吸気ファンは、吸気ユニットの内部に位置している。吸気ファンは、通風部を介して外気を吸気ユニットの内部に吸い込む。複数の油流部の各々と、複数の通風部のうち複数の油流部の各々に隣り合う通風部との間には、摺動機構が設けられている。摺動機構は、複数の通風部の各々が複数の通風部における外気の通風方向に沿う方向に摺動可能に構成されている。複数の通風部の各々は、摺動機構に沿って摺動させることで、上記通風方向において、複数の通風部の各々の吸気ユニット側の端縁が、複数の油流部の各々の吸気ユニット側とは反対側の端縁に対して、吸気ユニット側とは反対側に離間するように移動可能に構成されている。
【発明の効果】
【０００９】  本開示によれば、冷却器の複数の通風部内部を清掃する際に、複数の通風部の各々の吸気ユニット側の端縁側から清掃することができ、複数の通風部内部のゴミが容易に除去できる。さらに、上記の清掃後においては、摺動機構によって、複数の通風部の各々を、複数の油流部の各々の間に容易に収容できる。これにより、複数の冷却器における通風部内を効率良く清掃することができる。
【図面の簡単な説明】
【００１０】
【図１】実施の形態１に係る車載用変圧器の構成を示す図である。
【図２】図１の車載用変圧器の、冷却器と接続配管の一部とを矢印ＩＩ方向から見た図である。
【図３】図１の車載用変圧器の、冷却器と接続配管の一部とをＩＩＩ−ＩＩＩ線矢印方向から見た断面図である。
【図４】図２の冷却器を矢印ＩＶ方向から見た図である。
【図５】図２の冷却器を矢印Ｖ方向から見た図である。
【図６】図２の冷却器を矢印ＶＩ方向から見た図である。
【図７】実施の形態１に係る車載用変圧器において、摺動機構によって複数の通風部を移動させた状態を示す図である。
【図８】実施の形態２に係る車載用変圧器において、冷却器の一部を示す断面図である。
【図９】実施の形態２に係る車載用変圧器において、摺動機構によって複数の通風部を移動させた状態を示す図である。
【図１０】実施の形態３に係る車載用変圧器において、冷却器の一部を示す図である。
【図１１】実施の形態４に係る車載用変圧器において、摺動機構によって複数の通風部を移動させた状態を示す図である。
【発明を実施するための形態】
【００１１】  以下、各実施の形態に係る車載用変圧器について図面を参照して説明する。以下の実施の形態においては、図中の同一または相当部分には同一符号を付し、その説明は繰り返さない。
【００１２】  実施の形態１．  図１は、実施の形態１に係る車載用変圧器の構成を示す図である。図１に示すように、実施の形態１に係る車載用変圧器１００は、変圧器本体１１０と、タンク１２０と、絶縁油１３０と、冷却器１４０と、接続配管１５０と、ポンプ１６０とを備えている。
【００１３】  変圧器本体１１０は、タンク１２０に収容されている。絶縁油１３０は、タンク１２０に充填され、変圧器本体１１０を冷却する。冷却器１４０は、絶縁油１３０を冷却する。接続配管１５０は、タンク１２０と冷却器１４０とを互いに接続している。ポンプ１６０は、接続配管１５０に設置されている。ポンプ１６０は、タンク１２０と冷却器１４０との間で絶縁油１３０を循環させる。
【００１４】  図２は、図１の車載用変圧器の、冷却器と接続配管の一部とを矢印ＩＩ方向から見た図である。図３は、図１の車載用変圧器の、冷却器と接続配管の一部とをＩＩＩ−ＩＩＩ線矢印方向から見た断面図である。
【００１５】  図１から図３に示すように、冷却器１４０は、熱交換ユニット１４１と、吸気ユニット１４２と、吸気フィルタ１４３とを含んでいる。吸気ユニット１４２は、熱交換ユニット１４１と一体的に接続されている。
【００１６】  図３に示すように、熱交換ユニット１４１は、複数の油流部１４１Ａと、複数の通風部１４１Ｂとを有している。複数の油流部１４１Ａでは、一方向において絶縁油１３０が通流可能である。
【００１７】  熱交換ユニット１４１には、油流入ヘッダ１４１Ｃと、油流出ヘッダ１４１Ｄとが設けられている。油流入ヘッダ１４１Ｃは、接続配管１５０の一方側に接続されている。油流入ヘッダ１４１Ｃは、絶縁油１３０の通流方向において、複数の油流部１４１Ａの上流側の端部に設けられている。油流出ヘッダは１４１Ｄは、接続配管１５０の他方側に接続されている。油流出ヘッダ１４１Ｄは、絶縁油１３０の油流方向において、複数の油流部１４１Ａの下流側の端部に設けられている。
【００１８】  図４は、図２の冷却器を矢印ＩＶ方向から見た図である。図５は、図２の冷却器を矢印Ｖ方向から見た図である。図６は、図２の冷却器を矢印ＶＩ方向から見た図である。なお、図４から図６において、油流入ヘッダ１４１Ｃおよび油流出ヘッダ１４１Ｄは図示していない。
【００１９】  図３から図６に示すように、複数の通風部１４１Ｂの各々は、複数の油流部１４１Ａの各々の間に位置している。複数の通風部１４１Ｂの内部には、熱交換効率向上のための冷却フィン１４１Ｆが設けられている。
【００２０】  複数の通風部１４１Ｂでは、複数の油流部１４１Ａにおける絶縁油１３０の通流方向と交差する方向において外気が吸気ユニット１４２の内部に向かって通風可能である。本実施の形態においては、複数の通風部１４１Ｂ内では、冷却フィン１４１Ｆによって区画された複数の通流孔の各々を、絶縁油１３０が流れる。また、具体的には、絶縁油１３０の通流方向と、上記外気の通風方向とは、複数の油流部１４１Ａが並んでいる方向から見て互いに直交している。
【００２１】  吸気ユニット１４２は、吸気ファン１４２Ａを有している。吸気ファン１４２Ａは、吸気ユニット１４２の内部に位置している。
【００２２】  吸気ファン１４２Ａは、通風部１４１Ｂを介して外気を吸気ユニット１４２の内部に吸い込む。吸気ファン１４２Ａによって吸気ユニット１４２の内部に吸い込まれた外気は、排気口１４２Ｂから排気される。本実施の形態において、排気口１４２Ｂは、絶縁油１３０の油流方向において吸気ユニット１４２の一方側に位置している。
【００２３】  本実施の形態において、吸気フィルタ１４３は、熱交換ユニット１４１の吸気ユニット１４２側とは反対側に位置している。吸気フィルタ１４３は、外気が通風可能に構成され、かつ、複数の通風部１４１Ｂにおける通風方向において吸気側の端縁を覆うように設けられている。吸気フィルタ１４３は、吸気ユニット１４２から取り外し可能に構成されている。
【００２４】  冷却器１４０は、排気フィルタ１４４をさらに含んでいる。排気フィルタ１４４は、たとえば、グリッド状の外形を有している。排気フィルタ１４４は、外気が通風可能に構成され、かつ、排気口１４２Ｂを覆うように設けられている。排気フィルタ１４４により、回転中の吸気ファン１４２Ａが異物に接触することを抑制できる。なお、排気フィルタ１４４は、吸気ユニット１４２から取り外し可能に構成されている。
【００２５】  図３から図６に示すように、複数の油流部１４１Ａの各々と、複数の通風部１４１Ｂのうち複数の油流部１４１Ａの各々に隣り合う通風部１４１Ｂとの間には、摺動機構１７０が設けられている。
【００２６】  図７は、実施の形態１に係る車載用変圧器において、摺動機構によって複数の通風部を移動させた状態を示す図である。図７においては、図４と同様の方向から冷却器１４０を図示しており、油流入ヘッダ１４１Ｃおよび油流出ヘッダ１４１Ｄは図示していない。
【００２７】  図３、図４および図７に示すように、摺動機構１７０は、複数の通風部１４１Ｂの各々が複数の通風部１４１Ｂにおける外気の通風方向に沿う方向に摺動可能に構成されている。なお、複数の通風部１４１Ｂを摺動させる際には、吸気フィルタ１４３は取り外されている。
【００２８】  本実施の形態において、摺動機構１７０は、摺接部１７１と、レール部１７２とを有している。摺接部１７１は、複数の油流部１４１Ａの各々に設けられている。本実施の形態においては、複数の油流部１４１Ａの各々に対して、摺接部１７１として複数の摺接部１７１が設けられている。本実施の形態において、摺接部１７１は、上記通風方向に延在するレール状であるが、摺接部１７１は、回動可能な複数のローラで構成されていてもよい。
【００２９】  また、本実施の形態において、摺接部１７１は、複数の油流部１４１Ａのうち摺接部１７１が設けられた油流部１４１Ａと隣り合う通風部１４１Ｂにも摺接している。これにより、複数の通風部１４１Ｂと複数の油流部１４１Ａとの間の熱交換の効率を向上できる。
【００３０】  レール部１７２は、摺接部１７１に対して直接的または間接的に摺接可能となるように複数の通風部１４１Ｂの各々に設けられている。レール部１７２は、上記通風方向に沿う方向に延在している。
【００３１】  本実施の形態においては、レール部１７２と摺接部１７１との間には、図示しないグリースが設けられている。これにより、摺接部１７１に対してレール部１７２が滑らかに摺動できるとともに、複数の通風部１４１Ｂと複数の油流部１４１Ａとの間の熱交換の効率を向上できる。なお、レール部１７２は、複数の通風部１４１Ｂのうちレール部１７２が設けられた通風部１４１Ｂと隣り合う油流部１４１Ａにも摺接していてもよい。これにより、複数の通風部１４１Ｂと複数の油流部１４１Ａとの間の熱交換の効率を向上できる。
【００３２】  そして、図４および図７に示すように、実施の形態１に係る車載用変圧器１００においては、複数の通風部１４１Ｂの各々を、摺動機構１７０に沿って摺動させることで、上記通風方向において、複数の通風部１４１Ｂの各々の吸気ユニット１４２側の端縁Ｅ１が、複数の油流部１４１Ａの各々の吸気ユニット１４２側とは反対側の端縁Ｅ３に対して、吸気ユニット１４２側とは反対側に離間するように移動可能に構成されている。
【００３３】  これにより、冷却器１４０の複数の通風部１４１Ｂ内部を清掃する際に、複数の通風部１４１Ｂの各々の吸気ユニット１４２側の端縁Ｅ１側から清掃することができ、複数の通風部１４１Ｂ内部のゴミが容易に除去できる。さらに、上記の清掃後においては、摺動機構１７０によって、複数の通風部１４１Ｂの各々を、複数の油流部１４１Ａの各々の間に容易に収容できる。これにより、複数の冷却器１４０における通風部１４１Ｂ内を効率良く清掃することができる。さらには、吸気ユニット１４２の内部側から複数の通風部１４１Ｂの各々を清掃を実施することを要しなくなるため、吸気ユニット１４２の内部の堆積を小さくして、吸気ユニット１４２を小型化できる。
【００３４】  また、実施の形態１においては、摺動機構１７０は、摺接部１７１と、レール部１７２とを有している。摺接部１７１は、複数の油流部１４１Ａの各々に設けられている。レール部１７２は、摺接部１７１に対して直接的または間接的に摺接可能となるように複数の通風部１４１Ｂの各々に設けられている。レール部１７２は、上記通風方向に沿う方向に延在している。これにより、摺動機構１７０を簡易な構成で設けることができる。
【００３５】  また、実施の形態１においては、冷却器１４０は、熱交換ユニット１４１の吸気ユニット１４２側とは反対側に位置する吸気フィルタ１４３をさらに含んでいる。これにより、通風部１４１Ｂの内部にゴミが堆積することを抑制することができる。
【００３６】  実施の形態２．  以下、実施の形態２に係る車載用変圧器について説明する。実施の形態２に係る車載用変圧器は、摺動機構の構成が、実施の形態１に係る車載用変圧器１００と異なる。よって、実施の形態１に係る車載用変圧器１００と同様である構成については説明を繰り返さない。
【００３７】  図８は、実施の形態２に係る車載用変圧器において、冷却器の一部を示す断面図である。図９は、実施の形態２に係る車載用変圧器において、摺動機構によって複数の通風部を移動させた状態を示す図である。なお、図８においては、図３に示す実施の形態１における冷却器１４０と同様の断面視にて図示しており、かつ、複数の通風部１４１Ｂは１つのみ図示し、複数の油流部１４１Ａにおいては上記１つの通風部１４１Ｂと隣り合う油流部１４１Ａのみを図示している。図９においては、図７に示す実施の形態１における冷却器１４０を図示した方向と同様の方向から図示している。
【００３８】  図８および図９に示すように、実施の形態２においては、摺動機構２７０は、中間レール部２７３をさらに有している。中間レール部２７３は、摺接部１７１とレール部１７２との間に設けられている。中間レール部２７３は、摺接部１７１およびレール部１７２の各々に対して摺動可能である。中間レール部２７３は、上記通風方向に沿う方向に延在している。
【００３９】  これにより、上記通風方向において、複数の通風部１４１Ｂの各々の吸気ユニット１４２側の端縁Ｅ１を、複数の油流部１４１Ａの各々の吸気ユニット１４２側とは反対側の端縁Ｅ３に対して吸気ユニット１４２側とは反対側に離間させたときの、離間距離を大きくすることができる。ひいては、通風部１４１Ｂ内をより容易に清掃できる。
【００４０】  なお、摺接部１７１と中間レール部２７３との間、および、レール部１７２と中間レール部２７３との間にも、それぞれ、グリースを設けることが好ましい。
【００４１】  実施の形態３．  以下、実施の形態３に係る車載用変圧器について説明する。実施の形態３に係る車載用変圧器においては、冷却器が押圧ユニットをさらに含んでいる点で、実施の形態１に係る車載用変圧器１００と異なる。よって、実施の形態１に係る車載用変圧器１００のと同様である構成については説明を繰り返さない。
【００４２】  図１０は、実施の形態３に係る車載用変圧器において、冷却器の一部を示す図である。なお、図１０においては、図４に示す実施の形態１における冷却器１４０を図示した方向と同様の方向から図示している。
【００４３】  図１０に示すように、実施の形態３において、冷却器１４０は、押圧ユニット３４５をさらに含んでいる。押圧ユニット３４５は、熱交換ユニット１４１を外側から押圧する。押圧ユニット３４５は、熱交換ユニット１４１において複数の油流部１４１Ａが並んでいる方向において、両側から熱交換ユニット１４１を押圧するように熱交換ユニット１４１と係合している。
【００４４】  これにより、複数の通風部１４１Ｂと複数の油流部１４１Ａとを、摺動機構１７０を介して互いにより密接させることができる。ひいては、熱交換ユニット１４１内における熱交換効率を向上できる。
【００４５】
本実施の形態において、押圧ユニット３４５は、一対の押圧部３４５Ａと、連結部材３４５Ｂと、支持部３４５Ｃとを有している。一対の押圧部３４５Ａの各々は、複数の油流部１４１Ａが並んでいる方向における熱交換ユニット１４１の両端部の各々の外側に位置している。一対の押圧部３４５Ａの各々は、連結部材３４５Ｂによって熱交換ユニット１４１の両端部に押し当てられつつ、連結されている。一対の押圧部３４５Ａの各々は、連結が解除可能に、熱交換ユニット１４１の両端部に連結されている。連結部材３４５Ｂの具体的な部材は特に限定されないが、連結部材３４５Ｂとしてはボルトなどが挙げられる。本実施の形態において、支持部３４５Ｃは、一対の押圧部３４５Ａの各々と互いに接続されている。このように、押圧ユニット３４５は、熱交換ユニット１４１から取り外し可能に構成されている。これにより、押圧ユニット３４５を取り外せば、複数の通風部１４１Ｂを摺動させて移動させることができる。なお、支持部３４５Ｃは、複数の通風部１４１Ｂの各々の全体を覆わないように位置している。
【００４６】  実施の形態４．  以下、実施の形態４に係る車載用変圧器について説明する。実施の形態４に係る車載用変圧器においては、熱交換ユニットに取手部が設けられている点で、実施の形態１に係る車載用変圧器１００と異なる。よって、実施の形態１に係る車載用変圧器１００のと同様である構成については説明を繰り返さない。
【００４７】  図１１は、実施の形態４に係る車載用変圧器において、摺動機構によって複数の通風部を移動させた状態を示す図である。なお、図１１においては、図７に示す実施の形態１における冷却器１４０を図示した方向と同様の方向から図示している。
【００４８】  図１１に示すように、実施の形態４においては、複数の通風部１４１Ｂの吸気ユニット１４２側とは反対側の端縁に、取手部４４１Ｇが接続されている。取手部４４１Ｇは、複数の通風部１４１Ｂの各々を互いに接続している。これにより、取手部４４１Ｇを吸気ユニット１４２側とは反対側に引き出すことで、複数の通風部１４１Ｂを一度に摺動させることができる。ひいては、複数の通風部１４１Ｂの内部の清掃の作業効率を向上できる。
【００４９】  なお、取手部４４１Ｇは、複数の通風部１４１Ｂの各々の全体を覆わないように位置している。また、本実施の形態において、取手部４４１Ｇは、複数の通風部１４１Ｂの並んでいる方向に沿って延在する棒状の外形を有しているが、取手部４４１Ｇの外形は特に限定されない。取手部４４１Ｇは、冷却器１４０の一部を覆うようなフレーム状の外形を有していてもよい。
【００５０】  上述した実施の形態の説明において、組み合わせ可能な構成を相互に組み合わせてもよい。
【００５１】  なお、今回開示した上記実施の形態はすべての点で例示であって、限定的な解釈の根拠となるものではない。したがって、本開示の範囲は、上記した実施の形態のみによって解釈されるものではなく、請求の範囲の記載に基づいて画定される。また、請求の範囲と均等の意味および範囲内でのすべての変更が含まれる。
【符号の説明】
【００５２】  １００  車載用変圧器、１１０  変圧器本体、１２０  タンク、１３０  絶縁油、１４０  冷却器、１４１  熱交換ユニット、１４１Ａ  油流部、１４１Ｂ  通風部、１４１Ｃ  油流入ヘッダ、１４１Ｄ  油流出ヘッダ、１４１Ｆ  冷却フィン、１４２  吸気ユニット、１４２Ａ  吸気ファン、１４２Ｂ  排気口、１４３  吸気フィルタ、１４４  排気フィルタ、１５０  接続配管、１６０  ポンプ、１７０，２７０  摺動機構、１７１  摺接部、１７２  レール部、２７３  中間レール部、３４５  押圧ユニット、３４５Ａ  押圧部、３４５Ｂ  連結部材、３４５Ｃ  支持部、４４１Ｇ  取手部。
【要約】  本開示は、通風部内を効率良く清掃可能な冷却器を備える車載用変圧器を提供することを目的とする。  車載用変圧器(１００)において、冷却器(１４０)は、熱交換ユニット(１４１)と、吸気ユニット(１４２)と、吸気フィルタ(１４３)とを含んでいる。吸気ユニット(１４２)は、熱交換ユニット(１４１)と一体的に接続されている。熱交換ユニット(１４１)は、複数の油流部(１４１Ａ)と、複数の通風部(１４１Ｂ)とを有している。吸気ユニット(１４２)は、吸気ファン(１４２Ａ)を有している。吸気ファン(１４２Ａ)は、通風部(１４１Ｂ)を介して外気を吸気ユニット(１４２)の内部に吸い込む。複数の油流部(１４１Ａ)の各々と、複数の通風部(１４１Ｂ)のうち複数の油流部(１４１Ａ)の各々に隣り合う通風部(１４１Ｂ)との間には、摺動機構(１７０)が設けられている。摺動機構(１７０)は、複数の通風部(１４１Ｂ)の各々が複数の通風部(１４１Ｂ)における外気の通風方向に沿う方向に摺動可能に構成されている。【図１】
0006771701.tif 000002
【図２】
0006771701.tif 000003
【図３】
0006771701.tif 000004
【図４】
0006771701.tif 000005
【図５】
0006771701.tif 000006
【図６】
0006771701.tif 000007
【図７】
0006771701.tif 000008
【図８】
0006771701.tif 000009
【図９】
0006771701.tif 000010
【図１０】
0006771701.tif 000011
【図１１】
0006771701.tif 000012